(57)【要約】【課題】曲りを許容する構造として様々な箇所での光ドロップケーブルの接続に用いることができ、接続作業性を大きく向上させられる光ドロップケーブル接続体を提供する。【解決手段】可撓性略棒状体のケーブル保持体２が、長手方向中央の接続部保持部２２で接続部６０を保持すると共に、ケーブル保持体２端部で接続部保持部２２に対しねじれた位置関係となるドロップ保持部２３で光ドロップケーブル５０の外被５５の残る端部を保持し、光ファイバ心線５３がケーブル保持体２周囲を略螺旋状に取巻いた状態で支持されることから、ケーブル保持体２のいずれの方向の曲りに際しても、光ファイバ心線５３のケーブル保持体２表面に対するずれが許容されて非緊張状態を維持でき、ケーブル保持体２が外側の収容体３と共に問題なく曲りに対応でき、光ドロップケーブル５０の接続部分が曲る様な状況においても光ドロップケーブル５０の接続状態を保護できる。【選択図】図２
2008058639.tif 000002
【特許請求の範囲】
【請求項１】
二つの光ドロップケーブルの光ファイバ心線同士を接続した接続部を少なくとも保持するケーブル保持体と、当該ケーブル保持体及び光ファイバ心線を収容する略管状の収容体とを少なくとも備える光ドロップケーブル接続部保護体において、
前記収容体が、可撓性を有して屈曲可能とされ、
前記ケーブル保持体が、可撓性を有する所定長さの略棒状体とされ、長手方向中央に前記光ファイバ心線の接続部を保持する接続部保持部を形成されると共に、接続された光ファイバ心線の外被が残存する部分の所定箇所をそれぞれ保持するドロップ保持部を長手方向両端に形成されてなり、
前記各ドロップ保持部が、ケーブル保持体における前記接続部保持部の接続部を保持する位置に対し、各ドロップ保持部の光ファイバ心線外被残存部分を保持する位置を、ケーブル保持体長手方向に平行な回転軸を中心にそれぞれ所定角度回転させたねじれの位置関係とする配置とされ、
前記接続部保持部とドロップ保持部間に位置する光ファイバ心線露出部分の長さが、接続部保持部とドロップ保持部間の距離に対し１ないし２０％長い所定寸法とされることを
特徴とする光ドロップケーブル接続部保護体。
【請求項２】
前記請求項１に記載の光ドロップケーブル接続部保護体において、
前記ケーブル保持体が、前記接続部保持部の接続部を保持する位置に対し、各ドロップ保持部の光ファイバ心線外被残存部分を保持する位置を、ケーブル保持体長手方向に平行な回転軸を中心にそれぞれ１８０°回転させた配置として形成されることを
特徴とする光ドロップケーブル接続部保護体。
【発明の詳細な説明】
【技術分野】
【０００１】
本発明は、光ドロップケーブルの接続箇所に装着されて接続状態を保護する接続部保護体に関し、特に曲げを許容でき、ケーブルに曲がりが生じる箇所においてもケーブル同士の接続保護を可能にする光ドロップケーブル接続部保護体に関する。
【背景技術】
【０００２】
高速・広帯域の通信サービスを担う光ケーブル網を各加入者宅内に接続するＦＴＴＨ（Fiber To The Home）の実現には、架空集合光ケーブルから各通信加入者の宅内に少なくとも１心の光ファイバ心線を引込む必要があり、また、集合住宅や小中規模オフィスビルへの光ファイバ導入の場合、加入者数に対応した光ファイバ心線を建物内に引込む必要がある。
【０００３】
加入者個人宅や集合住宅等への光ケーブルの引込には、一般に１心または２心以上の光ドロップケーブルを用いているが、架空集合光ケーブルと各光ドロップケーブルとは電柱上の架空クロージャを介して接続されており、クロージャで架空ケーブルから各光ドロップケーブルに適切に分岐接続がなされる。
【０００４】
ただし、いったん接続済となったクロージャにおいて、光ドロップケーブルの撤去や再接続等の作業を行うことは、作業に手間がかかる上、クロージャで接続されている他のケーブルに悪影響を与える危険性が高いことから、解約等、加入者宅への光ドロップケーブル引込状況に変化が生じた場合でも、クロージャにおける光ドロップケーブルの撤去や再接続といった作業を行わずに済むよう、光ドロップケーブルに対し切断、接続等の取扱いを直接行えるようにする光ケーブルの接続部保護体が提案されており、その一例が特開２００４−２１２９１２号公報に開示されている。
【０００５】
この従来の光ケーブルの接続部保護体は、二つのケーブル固定部にそれぞれ光ケーブルの端部を固定すると共に、接続部固定部に各光ケーブルから導出された光ファイバ同士を融着やメカニカルスプライスで接続した接続部を固定して、光ドロップケーブル等の光ケーブル同士の接続状態を確実に保持できることから、光ドロップケーブルを切断した場合や長さが足りない場合に、別の光ドロップケーブルの接続によるケーブル延長を実際に可能とし、こうして光ドロップケーブルの所望箇所に対し直接作業が行えることで、光ドロップケーブル全体の撤去や再接続、すなわちクロージャでの作業を不要とすることができる。
【特許文献１】特開２００４−２１２９１２号公報
【発明の開示】
【発明が解決しようとする課題】
【０００６】
従来の光ケーブルの接続部保護体は、前記特許文献に示される構成となっており、光ドロップケーブルの支持線については別途接続する必要がある。支持線による緊張支持で光ドロップケーブルが直線状に張られた箇所でケーブルを切断して他のケーブルと接続する場合、支持線同士を一定の緊張状態として架空状態を維持しつつ接続し、さらに光ファイバ同士の接続を図る作業となり、作業性に難があることから、支持線が光ファイバ本線部分と分けられて電柱等にあらかじめ固定されている装柱部分で、光ファイバ本線のみに対し接続作業を行うことが考えられる。しかしながら、こうした箇所では光ファイバ本線の曲りを伴うことが多く、従来の接続用器具は曲げられない構造のため、曲りを伴う箇所には使用できないという課題を有していた。
【０００７】
本発明は、前記課題を解消するためになされたもので、曲りを許容する構造として様々な箇所での光ドロップケーブルの接続に用いることができ、接続作業性を大きく向上させられる光ドロップケーブル接続部保護体を提供することを目的とする。
【課題を解決するための手段】
【０００８】
本発明に係る光ドロップケーブル接続部保護体は、二つの光ドロップケーブルの光ファイバ心線同士を接続した接続部を少なくとも保持するケーブル保持体と、当該ケーブル保持体及び光ファイバ心線を収容する略管状の収容体とを少なくとも備える光ドロップケーブル接続部保護体において、前記収容体が、可撓性を有して屈曲可能とされ、前記ケーブル保持体が、可撓性を有する所定長さの略棒状体とされ、長手方向中央に前記光ファイバ心線の接続部を保持する接続部保持部を形成されると共に、接続された光ファイバ心線の外被が残存する部分の所定箇所をそれぞれ保持するドロップ保持部を長手方向両端に形成されてなり、前記各ドロップ保持部が、ケーブル保持体における前記接続部保持部の接続部を保持する位置に対し、各ドロップ保持部の光ファイバ心線外被残存部分を保持する位置を、ケーブル保持体長手方向に平行な回転軸を中心にそれぞれ所定角度回転させたねじれの位置関係とする配置とされ、前記接続部保持部とドロップ保持部間に位置する光ファイバ心線露出部分の長さが、接続部保持部とドロップ保持部間の距離に対し１ないし２０％長い所定寸法とされるものである。
【０００９】
このように本発明においては、光ドロップケーブルの光ファイバ心線接続部を支持するケーブル保持体が曲げられる略棒状体とされ、長手方向中央の接続部保持部で接続部を保持すると共に、ケーブル保持体端部で接続部保持部に対しねじれた位置関係となるドロップ保持部で光ドロップケーブルの外被の残る端部を保持し、各光ドロップケーブルの光ファイバ心線がケーブル保持体や収容体と接触しにくい適切な余長を与えられつつ、ケーブル保持体周囲を略螺旋状に取巻いた状態で支持されることにより、ケーブル保持体のいずれの方向の曲りに際しても、光ファイバ心線のケーブル保持体表面に対するずれが許容されて心線が緊張しない状態を維持できることとなり、光ドロップケーブル接続部分を保持するケーブル保持体が外側の収容体と共に問題なく曲りに対応でき、光ドロップケーブルの光ファイバ本線部が曲る様な箇所においても光ドロップケーブルの接続状態を保護することができ、接続保護を要する光ドロップケーブルの接続が、ケーブルの曲りを生じるような箇所においても実際に可能となる。
【００１０】
また、本発明に係る光ドロップケーブル接続部保護体は必要に応じて、前記ケーブル保持体が、前記接続部保持部の接続部を保持する位置に対し、各ドロップ保持部の光ファイバ心線外被残存部分を保持する位置を、ケーブル保持体長手方向に平行な回転軸を中心にそれぞれ１８０°回転させた配置として形成されるものである。
【００１１】
このように本発明においては、ケーブル保持体中央の接続部保持部とケーブル保持体端部のドロップ保持部とが１８０°回転した位置関係とされ、光ドロップケーブルの光ファイバ心線が半回転分の略螺旋状配置状態で支持されることにより、光ファイバ心線が適切な余長及び配置関係を有して収容体内でケーブル保持体のいずれの方向の曲りに対しても、緊張したり、逆に過度に余って収容体内面に接触してストレスを受けるようなことがなく、損失を生じずに支持される状態を保持できることとなり、光ドロップケーブル接続状態のケーブル保持体及び収容体を周囲の状況に応じた曲げに無理なく対応させられ、光ドロップケーブルの曲りを伴う接続箇所において確実に接続保護状態とすることができる。
【発明を実施するための最良の形態】
【００１２】
以下、本発明の一実施形態に係る光ドロップケーブル接続部保護体を、図１ないし図６に基づいて説明する。図１は本実施形態に係る光ドロップケーブル接続部保護体の湾曲状態正面図、図２は本実施形態に係る光ドロップケーブル接続部保護体の内部構成説明図、図３は本実施形態に係る光ドロップケーブル接続部保護体におけるケーブル保持体の光ファイバ心線保持状態正面図、図４は本実施形態に係る光ドロップケーブル接続部保護体におけるケーブル保持体の光ファイバ心線保持状態平面図、図５は本実施形態に係る光ドロップケーブル接続部保護体におけるケーブル保持体の一部省略正面図、平面図、及び底面図、図６は本実施形態に係る光ドロップケーブル接続部保護体の使用状態説明図及び接続対象の光ドロップケーブル断面図である。
【００１３】
前記各図において本実施形態に係る光ドロップケーブル接続部保護体１は、光ドロップケーブル５０の接続部分を支持するケーブル保持体２と、光ドロップケーブル５０の接続部分及びケーブル保持体２を収容する管状の収容体３と、収容体３両端に装着されて収容体３開口と光ドロップケーブル５０との隙間を埋めるキャップ４とを備える構成である。
【００１４】
前記光ドロップケーブル５０は、光ファイバ本線部５１と支持線部５２とを備える公知の構成であり、詳細な説明を省略する。前記光ファイバ本線部５１は、外被５５に被覆された二心の光ファイバ心線５３と、この光ファイバ心線５３の両側に配設されるＦＲＰ製の二本の補強線５４とを備える構成である。また、前記支持線部５２は、鋼製のメッセンジャーワイヤ５６を光ファイバ本線部５１と同じ外被５５で被覆して構成される。
【００１５】
この光ドロップケーブル５０のうち、光ファイバ本線部５１端部の被覆を除去して所定長さ口出ししたファイバ心線５３が接続対象であり、接続された光ファイバ心線５３の接続部分には、略棒状の接続部６０が形成される。この接続部６０は、二つの光ファイバ心線５３を融着やメカニカルスプライス等により接続した部分であり、二つの心線端部とこれらの接続状態を強固に補強し固定する補助部材からなる公知の構成であり、詳細な説明は省略する。
【００１６】
前記ケーブル保持体２は、可撓性素材製で所定長さの略棒状体とされる構成であり、詳細には、屈曲可能な細い軸部２１と、この軸部２１の長手方向中央に配置されて光ファイバ心線５３の接続部６０を保持する接続部保持部２２と、軸部２１両端に配置されるドロップ保持部２３とを備えるものである。
【００１７】
ケーブル保持体２中央の接続部保持部２２は、心線数に応じた溝状部分２４を有する形状とされてなり、光ファイバ心線５３の接続部６０をそのまま溝状部分２４にはめ込んで外れないよう保持可能となっている。一方、ケーブル保持体２両端のドロップ保持部２３も、溝状部分２５を有する形状とされ、外被５５を除去されていない状態の光ファイバ本線部５１端部が、これにはめ込まれて外れないよう保持されることとなる。なお、ドロップ保持部２３からケーブル保持体２中央側への外被５５有りの光ファイバ本線部５１端部の突出量は小さい方がよく、好ましくは１０ｍｍ以内とする。
【００１８】
接続部保持部２２とドロップ保持部２３の各溝状部分２４、２５は軸部２１に対し互いに反対向きで配置され、接続部保持部２２に対しドロップ保持部２３は軸部２１の軸線を回転中心としてちょうど１８０°回転した位置関係となる。これにより、ケーブル保持体２に保持された状態で、光ファイバ心線５３はドロップ保持部２３から接続部保持部２２へ１／２回転の螺旋状に軸部２１の周りを取巻いた配置状態となる。
【００１９】
この接続部保持部２２とドロップ保持部２３間に位置する光ファイバ心線５３露出部分の長さは、接続部保持部２２とドロップ保持部２３との距離に対し１ないし２０％長い所定寸法となっており、光ファイバ心線５３は、いわば、ケーブル保持体２と平行で、且つケーブル保持体２の接続部保持部２２とドロップ保持部２３との間の軸部２１より大きく、収容体３の内面より小さい仮想円筒表面で、接続部保持部２２とドロップ保持部２３とを結ぶ線上にある状態となっている。
【００２０】
例えば、収容体３の内径１６ｍｍ、接続部保持部２２とドロップ保持部２３との距離１３２．５ｍｍ、ねじれ角１８０°の場合、光ファイバ心線長さを前記接続部保持部２２とドロップ保持部２３との距離の１３２．５ｍｍの２．８％増の１３６ｍｍ程度とすると、光ファイバ心線の位置する前記仮想円筒の径が１０ｍｍとなり、適切な状態が得られる。
【００２１】
光ファイバ心線５３の接続部６０から露出する位置及び光ファイバ心線５３の光ファイバ本線部５１の外被残部から露出する位置は、それぞれケーブル保持体２の軸部２１外周面から所定寸法離れており、接続の際の光ファイバ心線５３口出し部分長さを適切に設定し、ケーブル保持体２に対し光ファイバ心線５３が適切な余長を有する状態とすることで、直線配置状態では、前記光ファイバ心線５３の露出する各位置と同じような間隔が、螺旋状配置の光ファイバ心線５３各部と軸部２１外周との間に生じることとなる。
【００２２】
前記収容体３は、可撓性を有して屈曲可能とされる管体であり、内部にケーブル保持体２及び光ドロップケーブル５０の接続部分を収容可能な径とされてなる構成である。
【００２３】
前記キャップ４は、弾性材で形成され、大径側で収容体３の管端部開口を塞いで防水性を維持するものであり、光ドロップケーブル５０の光ファイバ本線部５１が貫通する小径側端部開口は光ファイバ本線部５１と同じ断面形状となっており、挿通した光ファイバ本線部５１外周に密着して防水性能を確保できる。
【００２４】
次に、本実施形態に係る光ドロップケーブル接続部保護体を使用したケーブル接続作業と内部の光ファイバ心線収容状態について説明する。まず、接続したい光ドロップケーブル５０の光ファイバ本線部５１と支持線部５２とが分離されていない場合は分離して、光ファイバ本線部５１に対し一方にはキャップ４と収容体３を、他方にはキャップ４を装着する。キャップ４や収容体３に通した光ファイバ本線部５１に対しては、心線の口出し作業を行い、光ファイバ心線５３を所定長さ露出させる。そして、光ファイバ心線５３同士を融着やメカニカルスプライス等により接続し、一体に接続した接続部６０を得る。
【００２５】
接続後、得られた接続部６０及び光ファイバ本線部５１の被覆残り部分端部を、ケーブル保持体２の接続部保持部２２及びドロップ保持部２３における各溝状部分２４、２５にそれぞれはめ込んで固定し、光ファイバ心線５３の接続部分がケーブル保持体２に保持された状態を得る。さらに、先に装着した収容体３及びキャップ４の位置をずらしてケーブル保持体２及び光ファイバ心線５３露出部分を収容体３で覆い、且つ収容体３両端の開口部をキャップ４で塞いだ状態とし、光ドロップケーブル接続部保護体１として一体化する。
【００２６】
こうして一体化した光ドロップケーブル接続部保護体１が得られたら、装柱部分等の固定箇所に固定する形態に合わせて湾曲させるなど形を整える。このとき、光ドロップケーブル接続部保護体１を構成するケーブル保持体２及び収容体３は可撓性素材からなり、各方向に曲げ可能であるが、光ファイバ心線５３保護のため、この保護体としての最大曲り状態は、光ファイバ心線５３の許容曲げ半径より大きい曲率半径の曲がりに制限される構成となっており、光ファイバ心線５３が過度に曲げられることはない。そして、必要に応じてキャップ４端部の光ドロップケーブル５０露出部分に防水処理を施した上で、光ドロップケーブル接続部保護体１を固定箇所に固定すれば作業完了となる。
【００２７】
固定状態の光ドロップケーブル接続部保護体１内部では、収容体３の湾曲状態に応じて、ケーブル保持体２及び光ファイバ心線５３露出部分も曲った状態となっているが、接続部６０や光ファイバ本線部５１の保持箇所を適切に配置しているために、光ファイバ心線５３が緊張したり、余って収容体３内面に接触したりすることはなく、光ファイバ心線５３にストレスは加わらず、信号の損失は生じない。
【００２８】
このように、本実施形態に係る光ドロップケーブル接続部保護体は、光ドロップケーブル５０の光ファイバ心線接続部６０を支持するケーブル保持体２が曲げられる略棒状体とされ、長手方向中央の接続部保持部２２で接続部６０を保持すると共に、ケーブル保持体２端部で接続部保持部２２に対しねじれた位置関係となるドロップ保持部２３で光ドロップケーブル５０の外被の残る端部を保持し、各光ドロップケーブル５０の光ファイバ心線５３がケーブル保持体２や収容体３と接触しにくい適切な余長を与えられつつ、ケーブル保持体２周囲を略螺旋状に取巻いた状態で支持されることから、ケーブル保持体２のいずれの方向の曲りに際しても、光ファイバ心線５３のケーブル保持体２表面に対するずれが許容されて心線が緊張しない状態を維持できることとなり、光ドロップケーブル５０接続部分を保持するケーブル保持体２が外側の収容体３と共に問題なく曲りに対応でき、光ドロップケーブル５０の光ファイバ本線部５１が曲る様な箇所においても光ドロップケーブル５０の接続状態を保護できる。
【００２９】
なお、前記実施の形態に係る光ドロップケーブル接続部保護体において、保護対象とする光ドロップケーブル５０は、二心の光ファイバ心線５３及び二本の補強線５４を外被５５に被覆されてなる光ファイバ本線部５１と支持線部５２とを備える構成としているが、これに限らず、ケーブルの用途や設置環境に応じて光ファイバ心線や補強線の配置位置や配置数、支持線部の配置形状などを適宜変更したものでもかまわない。
【００３０】
また、前記実施の形態に係る光ドロップケーブル接続部保護体において、ケーブル保持体２の接続部保持部２２に対しドロップ保持部２３は軸部２１の軸線を回転中心としてちょうど１８０°回転した位置関係として形成する構成としているが、これに限らず、接続部保持部２２に対する各ドロップ保持部２３の回転位置関係は、光ドロップケーブル５０の設置環境に係る光ファイバ本線部５１の接続箇所における曲り状況に対応させて所望の回転角度に設定することができ、例えば曲り具合が小さい場合は接続部保持部２２に対する各ドロップ保持部２３の回転角度を小さくしてもかまわない。
【実施例】
【００３１】
本発明の光ドロップケーブル接続部保護体の機械的性能を確認するための試験を実施して、得られた結果について評価する。光ドロップケーブル接続部保護体を構成するケーブル保持体は、ポリプロピレン製で全長は２８５ｍｍ、収容体は市販の耐熱性合成樹脂可とう管で、長さは２７９ｍｍ、内径は１６ｍｍ、外径２１ｍｍ、キャップはウレタンゴム製で、長さは６５ｍｍとなっている。光ファイバ本線部の口出し長は接続作業時の端部切断分も含めて１５０ｍｍとする。
【００３２】
第１の試験として、防水試験を行った。試験内容は、JIS C 0920保護等級の７級に対応し、光ドロップケーブル接続部保護体及び接続した光ドロップケーブルを水深１ｍに３０分間水没させ、浸水や有害な影響がないことを確認するものである。結果は、光ドロップケーブル接続部保護体内部に浸水の形跡はなく、良好であるといえる。
【００３３】
第２の試験として、ヒートサイクル試験を行った。試験内容は、光ドロップケーブル接続部保護体及び接続した光ドロップケーブルに対し、−３０℃〜＋６０℃の範囲のヒートサイクル（１サイクルは８時間）を３サイクル／１日で３日間の計９サイクル実施し、異常のないことを確認するものである。結果は、試験前後の接続損失変動値が最大で−０．００４ｄＢであり、大きな変動はなく、良好であるといえる。
【００３４】
第３の試験として、ケーブル引張試験を行った。試験内容は、光ドロップケーブル接続部保護体及び接続した光ドロップケーブルに対し、光ドロップケーブルにおいて支持線部のない状態で光ファイバ本線部の端部に５ｋｇの錘を付加し、且つ光ドロップケーブル接続部保護体の収容体を把持して光ドロップケーブル接続部保護体及び光ドロップケーブルを空中に保持し、錘の荷重が加わった状態を１分間固定するものである。結果は、光ドロップケーブル接続部保護体からの光ドロップケーブルの抜け等はなく、特に問題はなかった。
【００３５】
第４の試験として、振動試験を行った。試験内容は、光ドロップケーブル接続部保護体及び接続した光ドロップケーブルに対し、上下に±５ｍｍの振幅で振動数１０Ｈｚ、１００万回の振動を加え、異常のないことを確認するものである。結果は、試験前後の接続損失変動値が最大で−０．００４ｄＢで、大きな変動はなく、良好であるといえる。
【００３６】
第５の試験として、繰返し曲げ試験を行った。試験内容は、光ドロップケーブル端部を内部に保持している光ドロップケーブル接続部保護体に対し、φ８０ｍｍのパイプに１８０°巻付けるようにして曲げ、さらに別の同径のパイプに同じ部分を逆方向に１８０°巻付けるようにして曲げる動作を１０回繰返し、異常のないことを確認するものである。結果は、試験前後の接続損失変動値が最大で−０．０１ｄＢで、大きな変動はなく、また光ドロップケーブル接続部保護体の物理的な損傷もなく、良好であるといえる。
【００３７】
以上各試験結果により、本発明の光ドロップケーブル接続部保護体については、良好な機械的性能を有することで、曲げを許容しつつ、内部で接続状態とされた光ドロップケーブルの光ファイバ心線の接続状態を維持して損失を生じさせず、光ファイバ心線を確実に保護できることが確認できた。
【図面の簡単な説明】
【００３８】
【図１】本発明の一実施形態に係る光ドロップケーブル接続部保護体の湾曲状態正面図である。
【図２】本発明の一実施形態に係る光ドロップケーブル接続部保護体の内部構成説明図である。
【図３】本発明の一実施形態に係る光ドロップケーブル接続部保護体におけるケーブル保持体の光ファイバ心線保持状態正面図である。
【図４】本発明の一実施形態に係る光ドロップケーブル接続部保護体におけるケーブル保持体の光ファイバ心線保持状態平面図である。
【図５】本発明の一実施形態に係る光ドロップケーブル接続部保護体におけるケーブル保持体の一部省略正面図、平面図、及び底面図である。
【図６】本発明の一実施形態に係る光ドロップケーブル接続部保護体の使用状態説明図及び接続対象の光ドロップケーブル断面図である。
【符号の説明】
【００３９】
１          光ドロップケーブル接続部保護体
２          ケーブル保持体
３          収容体
４          キャップ
２１        軸部
２２        接続部保持部
２３        ドロップ保持部
２４、２５  溝状部分
５０        光ドロップケーブル
５１        光ファイバ本線部
５２        支持線部
５３        光ファイバ心線
５４        補強線
５５        外被
５６        メッセンジャーワイヤ
６０        接続部
【図１】
2008058639.tif 000003
【図２】
2008058639.tif 000004
【図３】
2008058639.tif 000005
【図４】
2008058639.tif 000006
【図５】
2008058639.tif 000007
【図６】
2008058639.tif 000008